(57)【要約】昇降路内を移動し、該昇降路の壁にコントローラが固定される機械室レス型エレベータのかご用の上部安全柵は、かご天井（１６）のエッジ近くに間隔をおいて固定された複数の直立アップライト（２４）と、コントローラに直接アクセスするための通路（３３）が生ずるように、かごがコントローラのレベルにあるときにコントローラ（１４）が前方にくる場所を除いたかご天井の周囲に亘って、該アップライトにそれぞれ異なる高さで固定された水平の管状ガードレール（２０，３０）と、を備えた固定構造（２１）と、管状ガードレールの内側に伸縮自在に設けられた少なくとも２つの水平バー（３６，３８）を含んだ可動式構造（３４）と、を備え、かつ、上記バーがガードレール内に収納されてコントローラへの上記通路が開放される開放位置と、上記バーがガードレールから引き出されて上記通路が遮断される閉鎖位置と、の間を摺動することを特徴とする。
2005532966.tif 000002
【特許請求の範囲】
【請求項１】
昇降路内を移動し、該昇降路の壁にコントローラが固定される機械室レス型エレベータのかご用の上部安全柵であって、
かご天井（１６）のエッジ近くに間隔をおいて固定された複数の直立アップライト（２４）と、上記コントローラに直接アクセスするための通路（３３）が生ずるように、上記かごがコントローラのレベルにあるときにコントローラ（１４）が前方にくる場所を除いた上記かご天井の周囲に亘って、該アップライトにそれぞれ異なる高さで、固定された水平の管状ガードレール（２０，３０）と、を備えた固定構造（２１）と、
上記管状ガードレールの内側に伸縮自在に設けられた少なくとも２つの水平バー（３６，３８）を含んだ可動式構造（３４）と、を備え、かつ、
上記バーが上記ガードレール内に収納されて上記コントローラへの上記通路が開放される開放位置と、上記バーがガードレールから引き出されて上記通路が遮断される閉鎖位置と、の間を摺動することを特徴とする上部安全柵。
【請求項２】
水平プレートを備えたブリッジ（４２）が上記かごの上記天井（１６）に摺動自在に設けられ、かつ、該ブリッジが上記天井に完全に収容される格納位置と、該ブリッジの一部が上記天井の外側に突き出し、上記かご（１８）と上記コントローラが固定される昇降路壁（１２）との空間を横断する引出位置と、の間を摺動することを特徴とする請求項１に記載の上部安全柵。
【請求項３】
上記ブリッジが引き出されたときに、該ブリッジの端部が上記コントローラ、あるいは、上記コントローラが固定される昇降路壁（１２）、に取り付けられた支持ブラケットによって支持されることを特徴とする請求項２に記載の上部安全柵。
【請求項４】
上記可動式構造の上記バー（３６，３８）は、これらのバー端部において直立クロスバー（４０）によって連結され、
該クロスバー（４０）は上記可動式構造を一体に移動させることを可能とし、かつ、当接要素として機能することを特徴とする請求項１に記載の上部安全柵。
【請求項５】
上記ガードレールおよび上記バーに穿設された孔に設けられたピンやボルト（４６）等の係止要素（４６）を用いて、格納された位置あるいは引き出された位置において上記可動式構造（３４）が固定されることを特徴とする請求項１に記載の上部安全柵。
【請求項６】
上記ガードレール（２６，３０）および上記バー（３６，３８）は、矩形断面を有しかつスチール製であることを特徴とする請求項１〜５に記載の上部安全柵。
【発明の詳細な説明】
【技術分野】
【０００１】
本発明は機械室レス型エレベータのかご天井に設けられた安全柵に関する。
【背景技術】
【０００２】
現行のエレベータ設備においては、上記設備に占有される地面や高さを可能な限り減少させる傾向にある。この目的を達成させるために考えられた手法の１つに、今まで昇降路の最上部や底部あるいは昇降路の側方の一部に設けられていた機械室を除去し、コントローラ等の制御装置を昇降路の壁に固定する方法がある。最近では、小さな厚さの駆動装置（マシン）やコントローラを製造し、昇降路とかごとの間で構成されるスペースに固定できることがよく知られている。
【０００３】
この形式のエレベータでは、柵が、通常、かご天井の上に、上記天井のエッジから若干オフセットした位置に設けられ、上記天井がコントローラのレベルにないときに昇降路に落下する危険を回避する。
【０００４】
作業技師は保守や復旧作業を実施するためにコントローラやマシンに立ち入らなければならないときには、作業技師は上記天井に登り、容易に手が届く位置にコントローラがくるようにかごの移動を制御し、かごを停止しなければならない。コントローラは昇降路壁に対して突き出ているため、コントローラはかごに対して十分近くに到着し、昇降路への落下の危険が除去される。
【０００５】
しかしながら、作業技師は上記柵のバーを介してあるいは上記柵越しに、つまりコントローラから所定の距離をおいて、作業しなければならない。上記位置では、所定の作業は、作業者をすぐに不快にさせ、疲れさせる。さらに、上記柵は十分な耐久性が保証されるようスチール製でなければならず、上記柵を作業技師とコントローラとの間に配置することは、電気的な部品の操作中における電気ショックの危険を増大させる。
【発明の開示】
【発明が解決しようとする課題】
【０００６】
本発明の目的は上記の問題を解決することである。
【課題を解決するための手段】
【０００７】
この目的を達成するために、本発明は、昇降路内を移動し、該昇降路の壁にコントローラが固定される機械室レス型エレベータのかご用の上部安全柵を提供する。この上部安全柵は、かご天井のエッジ近くに間隔をおいて固定された複数の直立アップライトと、コントローラに直接アクセスするための通路が生ずるように、かごがコントローラのレベルにあるときにコントローラが前方にくる場所を除いたかご天井の周囲に亘って、該アップライトにそれぞれ異なる高さで固定された水平の管状ガードレールと、を備えた固定構造と、管状ガードレールの内側に伸縮自在に設けられた少なくとも２つの水平バーを含んだ可動式構造と、を備え、かつ、上記バーがガードレール内に収納されてコントローラへの上記通路が開放される開放位置と、上記バーがガードレールから引き出されて上記通路が遮断される閉鎖位置と、の間を摺動することを特徴とする。
【０００８】
上記可動式構造は、かご天井がコントローラのレベルになければ閉鎖位置に維持され、かごが上記レベルに停止すれば開放位置に移動する。この開放位置では、かご天井のエッジ近傍にコントローラが位置するため落下の危険がない。しかしながら、作業技師の安全性をさらに高め、作業技師をコントローラにより接近させられるように、かごの天井には、ブリッジが備え付けられる。このブリッジは、格納位置と引出位置との間に摺動自在にかご天井の上に設けられた１つのプレートを含み、上記引出位置では、ブリッジの長さの一部が、かご天井から突き出し、かごと昇降路壁との間からなる空間を横断することを特徴とする。
【０００９】
上記引出位置では、コントローラあるいは昇降路壁に固定された支持ブラケット上にブリッジの端部が支持され得る。
【００１０】
可動式構造のバーはそれぞれ独立に構成されていてもよい。よって、これらは開放位置から閉鎖位置に独立に移動してもよく、またその逆も同様である。より好適な態様においては、上記バーは各外端において直立クロスバーによって連結されるため、上記バーは一体に移動する。また、該クロスバーは、上記開放位置において可動式構造の移動を制限する当接要素としても機能する。
【００１１】
上記格納位置あるいは上記開放位置において、上記ガードレールおよび上記バーに穿設された孔に通されたピンやボルト等の係止要素によって、上記可動式構造は固定され得る。これにより、該可動式構造の偶発的な摺動が防止される。
【発明を実施するための最良の形態】
【００１２】
図に示すエレベータ設備１０は機械室レス型式のエレベータである。かご１８は昇降路内を移動し、この昇降路の壁１２に上記エレベータのコントローラ１４が取り付けられる。
【００１３】
上記コントローラへの立入りは、かご１８の天井１６から行われる。該天井には柵２０が備え付けられ、この柵２０は、かごドア２２が設けられるかごの前方壁（図示せず）に隣接した天井のエッジを除いて上記天井を取り囲む。昇降路の上記前方壁との間の間隔は非常に小さく従って落下の危険性がないため、この側面には上記柵は必要とならない。
【００１４】
柵２０は固定構造２１を含み、この固定構造２１は、上記天井外周付近に固定された複数の直立アップライト２４と、上記直立アップライトの最上部位置と中間の位置とにそれぞれ固定された少なくとも２つの水平な管状ガードレール２６，３０と、を含む。
【００１５】
各ガードレールは、Ｕ字形をなし、スチール製でありかつ天井のエッジとほぼ同じ長さをそれぞれ備えた３つの管を含む。各ガードレールの管は、溶接、ネジ留め等により互いに固定される。望ましくは、上記管は矩形断面を有する。
【００１６】
図においては、天井の左右エッジ上にアップライト２４が配置されているが、後方エッジ上には配置されておらず、該後方エッジに沿って延びた上記ガードレールの管同士は、ストラット３２によって連結される。もちろん、天井の該後方エッジにもアップライトを取り付けてもよい。
【００１７】
上部ガードレール２６は、望ましくは腰の高さの位置で上記アップライトに固定される。
【００１８】
本発明によれば上記固定構造２１は、図１においては右側面の所定の位置で中断しており、この位置では、コントローラ１４の前方に所定の幅、つまり、上記コントローラの幅にほぼ対応する幅、を有した自由通路３３が生ずる。この通路は、上記管状ガードレール２６，３０の端部内に伸縮自在に挿入された少なくとも２つのバー３６，３８を含んだ可動式構造３４によって閉鎖され得る。これらのバー３６，３８はスチール製であり、矩形断面を有する。これらのバーは端部において直立クロスバー４０によって互いに連結されており、従って、これらは一体に摺動可能である。上記クロスバーは、また、上記可動式構造が完全に開いたときに、該可動式構造を止める当接要素（abutting element）として機能する。
【００１９】
本発明の有利な態様によれば、歩道ブリッジ４２が、上記通路３３を横断する方向に延びたガイド４４に沿ってかご天井に摺動可能に設けられる。
【００２０】
図１は、作業技師が上記天井に上って確認するときの柵の通常の状態を示す。つまり、上記可動式構造３４は引き出されて上記通路３３を遮断し、一方上記ブリッジ４２は格納されて、完全に天井１６の上に収容される。作業技師はコントローラのレベルまで上記かごを移動させた後、該作業技師は上記通路３３を開放させるように（図１では左方向に）上記可動式構造３４を動かし、その後、天井から上記ブリッジ４２を引き出す。上記ブリッジの存在により、ネジやボルト等の小さな物体の昇降路中への落下が防止される。
【００２１】
ブリッジの一部が天井から突き出して、その端部が昇降路あるいはコントローラに固定された支持ブラケット（図示せず）に支持されれば、さらなる安定性が得られる。
【００２２】
ガードレール２６，３０上およびバー３６，３８上の穿孔に挿入されたピンやボルト４６を用いて格納位置あるいは引出位置に可動式構造３４を固定してもよい。
【図面の簡単な説明】
【００２３】
【図１】本発明に従う柵を備えたエレベータかごの部分斜視図であって、引き出された開放位置にある柵の可動式構造と格納位置にあるブリッジとを示す。
【図２】図１に類似する斜視図であって、格納位置にある上記可動式構造と引出位置にあるブリッジとを示す。
【図１】
2005532966.tif 000003
【図２】
2005532966.tif 000004
【国際調査報告】
2005532966.tif 000005
2005532966.tif 000006